(57)【特許請求の範囲】
【請求項１】
第１ネットワークとの第１インタフェースと、第２ネットワークとの第２インタフェースと、ファイルストレージと、ルーティング手段とを有し、前記第１ネットワークにアタッチした第１装置により共有されるファイルへのアクセスを可能にするネットワーク装置を制御する方法であって、
前記第１装置は、前記第１ネットワーク上で一時的に利用不可となり、
前記第１装置が、少なくとも１つの共有ファイルを有し、
当該方法は、
前記第１装置がアクセス可能である時を検出するステップと、
前記第２ネットワーク上にある第２装置から前記第１装置上で管理される共有ファイルを取得するためのリクエストを受信すると、前記第１装置がアクセス可能でないことを検出すると、前記リクエストを格納するステップと、
前記第１装置がアクセス可能になったことを検出すると、前記第１装置から前記共有ファイルを抽出するステップと、
前記抽出されたファイルを前記ストレージに格納するステップと、
前記ファイルが前記ストレージに格納されると、通知と共に前記ファイルを前記第２装置に送信するステップと、
を有する方法。
【請求項２】
当該方法はさらに、前記ファイルが前記第２装置により抽出されると、又は前記第２装置に送信されると、前記ストレージから前記ファイルを削除するステップを有する、請求項１記載の方法。
【請求項３】
当該方法はさらに、前記ファイルが前記第２装置により抽出されたか、又は前記第２装置に送信されたかに関係なく、遅延の後に前記ストレージから前記ファイルを削除するステップを有する、請求項１記載の方法。
【請求項４】
当該方法はさらに、前記第１装置と前記共有ファイルとを示すためのグラフィカルユーザインタフェースを提供するステップをさらに有する、請求項１乃至３何れか一項記載の方法。
【請求項５】
前記第１装置に管理されるすべての共有ファイルのリストを抽出するステップと、
前記リストを前記ストレージに格納するステップと、
をさらに有する、請求項１乃至４何れか一項記載の方法。
【請求項６】
第１ネットワークとの第１インタフェースと、
第２ネットワークとの第２インタフェースと、
ルーティング手段と、
前記第１ネットワーク上の第１装置の存在を検出する装置検出手段と、
前記第１装置上の共有ファイルを検出するファイル検出手段と、
前記第１装置がアクセス可能でないとき、前記第１装置上で管理される前記共有ファイルに対するリクエストを格納する格納手段と、
前記第１装置がアクセス可能になり、前記リクエストがリードリクエストであるとき、前記共有ファイルを格納し、又は、前記リクエストがライトリクエストであるとき、前記第１装置がアクセス可能になるまで前記共有ファイルを格納する格納手段と、
前記第２ネットワークにある第２装置によって前記格納手段にローカルに格納された前記共有ファイルへのアクセスを管理するファイル共有手段と、
を有するネットワーク装置。
【請求項７】
コンピュータ上で実行されると、請求項１乃至５何れか一項記載の方法のステップを実行するためのプログラムコード命令を有するコンピュータプログラム。
【発明の詳細な説明】
【技術分野】
【０００１】
本発明は、一般にファイル共有化に関し、特にローカル装置にある装置がインターネット上にある装置とファイルを共有することを可能にする装置及び当該装置における方法に関する。
【背景技術】
【０００２】
本セクションは、以下に説明及び／又は請求される本発明の各種特徴に関する当該技術の各種特徴を読者に紹介するためのものである。この説明は、本発明の各種特徴のより良い理解を促進するための背景情報を読者に提供するのに役立つと考えられる。従って、これらの説明はこの観点から読まれるべきものであり、先行技術の自認として読まれるべきでないことが理解されるべきである。
【０００３】
インターネットゲートウェイは、通常はユーザがインターネットからゲートウェイに埋め込まれたグラフィカルユーザインタフェース（ＧＵＩ）に、典型的にはＨＴＭＬページをサービス提供するＨＴＴＰサーバを用いて接続することを可能にするＨＴＴＰサーバとＧＵＩとを有する。
【０００４】
ゲートウェイはまた、ローカルネットワーク上で共有されるファイルを検出可能な機能を埋め込む。ローカルネットワーク上で共有されるファイルは、ＧＵＩ（ＨＴＭＬページ）にリスト可能であり、これにより、ＬＡＮ又はＷＡＮからのエンドユーザは共有ファイルのリストをブラウズし、ローカルネットワークの装置との間でファイルをダウンロード及びアップロードすることが可能となる。この機能は、インターネット上の何れかからのユーザがローカルネットワークのＰＣ又は装置からファイルをダウンロード／アップロードすることを可能にする。具体例として、友人の場所からの写真の表示、外国からのデータへのアクセス、ホーム装置上への重要なメールアタッチメントの格納などがあげられる。もちろん、エンドユーザは、ローカル又はリモート装置を介しＧＵＩにアクセスする。
【０００５】
ローカルネットワーク装置は、通常はメディアプレーヤー、ゲーム装置、ラップトップコンピュータ、ＰＤＡなどのモバイル／ポータブル装置である。それらは、定期的に電源オフ及び／又はゲートウェイに非接続される。インターネットからこれらの装置に格納及び共有されるファイルへのアクセスは、このとき可能でない。インターネットからこれらのファイルにアクセスすることを所望する人は、ローカルネットワーク装置が電源オン又は単に試みているか予め確認する必要がある。
【発明の概要】
【０００６】
本発明は、ローカル装置がアクセス不可であるとき、ファイルアクセスを管理するためのゲートウェイにおける方法を提供することによって、ローカル装置上のファイルへのアクセスに関する問題点の少なくとも一部を解決しようとするものである。
【０００７】
本発明は、第１ネットワークとの第１インタフェースと、第２ネットワークとの第２インタフェースと、前記第１ネットワーク上にある第１装置により共有されるファイルへのアクセスを可能にするルーティング手段とを有するネットワーク装置における方法に関し、前記ネットワーク装置が、少なくとも１つの共有ファイルを有する前記第１装置の前記第１ネットワーク上での存在を検出する。
【０００８】
当該方法は、前記ネットワーク装置において、前記第１装置がアクセス可能でないことを検出するステップと、前記第２ネットワーク上にある第２装置から前記第１装置上の共有ファイルを取得するためのリクエストを受信すると、前記リクエストを格納するステップと、前記第１装置がアクセス可能であることを検出すると、前記ネットワーク装置のメモリの前記共有ファイルを抽出するステップと、前記共有ファイルが前記ネットワーク装置において利用可能であるという通知を前記第２装置に送信するか、又は前記ファイルを前記第２装置に送信するステップとを有する。
【０００９】
実施例によると、当該方法は、前記ファイルが前記第２装置により抽出されると、又は前記第２装置に送信されると、前記メモリから前記ファイルを削除するステップを有する。
【００１０】
実施例によると、当該方法は、遅延の後に前記メモリから前記ファイルを削除するステップを有する。
【００１１】
実施例によると、前記ネットワーク装置は、前記第１装置と前記共有ファイルとを示すためのグラフィカルユーザインタフェースを有する。
【００１２】
本発明はまた、第１ネットワークとの第１インタフェースと、第２ネットワークとの第２インタフェースと、前記第１ネットワーク上にある第１装置により共有されるファイルへのアクセスを可能にするルーティング手段とを有するネットワーク装置における方法に関し、前記ネットワーク装置が、少なくとも１つの共有ファイルを有する前記第１装置の前記第１ネットワーク上での存在を検出する。当該方法は、前記ネットワーク装置において、前記第１装置がアクセス可能でないことを検出するステップと、第２装置から前記第１装置上の共有ファイルを取得するためのリクエストを受信すると、前記リクエストを格納するステップと、前記第１装置がアクセス可能であることを検出すると、前記ファイルが前記第１装置において利用可能であるという通知を前記第２装置に送信するステップとを有する。
【００１３】
本発明はまた、第１ネットワークとの第１インタフェースと、第２ネットワークとの第２インタフェースと、前記第１ネットワーク上にある第１装置により共有されるファイルへのアクセスを可能にするルーティング手段とを有するネットワーク装置における方法に関し、前記ネットワーク装置が、少なくとも１つの共有ファイルを有する前記第１装置の前記第１ネットワーク上での存在を検出する。当該方法は、前記ネットワーク装置において、前記第１装置がアクセス可能でないことを検出するステップと、前記第２ネットワーク上にある第２装置から前記第１装置へのファイルを受信すると、前記ファイルを格納するステップと、前記第１装置がアクセス可能であることを検出すると、前記ファイルを前記第１装置に送信するステップとを有する。
【００１４】
実施例によると、前記ファイルは、前記共有ファイルの新たなバージョンである。
【００１５】
実施例によると、当該方法は、前記ファイルが前記第１装置に送信されたという通知を前記第２装置に送信するステップを有する。
【００１６】
本発明はまた、第１ネットワークとの第１インタフェースと、第２ネットワークとの第２インタフェースと、ルーティング手段と、前記第１ネットワーク上の第１装置の存在を検出する装置検出手段と、前記第１装置上の共有ファイルを検出するファイル検出手段と、前記第２ネットワークにある第２装置から前記第１装置上の共有ファイルを取得するためのリクエストを受信すると、前記リクエストを格納し、前記第１装置がアクセス可能であることを検出すると、前記ネットワーク装置のメモリの前記共有ファイルを抽出し、前記共有ファイルが前記ネットワーク装置において利用可能であるという通知を前記第２装置に送信するか、又は前記ファイルを前記第２装置に送信するファイル共有手段とを有するネットワーク装置に関する。
【００１７】
本発明の他の課題は、コンピュータ上で実行されると、本発明による方法のステップを実行するためのプログラムコード命令を有するコンピュータプログラムである。“コンピュータプログラム”によって、ディスケットやカセットなどのプログラムを含む記憶スペースだけでなく、電気又は光信号などの信号からなるコンピュータプログラムサポートが意図される。
【００１８】
開示された実施例の範囲に対応した特徴が以下に与えられる。これらの特徴は本発明がとりうる形態の簡単な概略を読者に提供するために提示されているにすぎず、これらの特徴は本発明の範囲を限定するものでないことが理解されるべきである。実際、本発明は、以下に与えられる各種特徴を包括するものであってもよい。
【図面の簡単な説明】
【００１９】
【図１】図１は、実施例によるオブジェクト及びシステムのブロック図である。
【図２】図２は、実施例による第１の方法のフローチャートである。
【図３】図３は、実施例による第２の方法のフローチャートである。
【図４】図４は、実施例によるグラフィカルユーザインタフェースを表す。
【図５】図５は、実施例によるグラフィカルユーザインタフェースを表す。          図１では、表示されたブロックは、純粋に機能的エンティティであり、必ずしも物理的に分離したエンティティに対応するものでない。すなわち、それらは、ハードウェア又はソフトウェアの形式により開発可能であるか、又は１以上の集積回路により実現可能である。
【発明を実施するための形態】
【００２０】
実施例は、リモート装置とローカル装置とを相互接続するゲートウェイのフレームワークの範囲内であるが、本発明はこの特定の環境に限定されるものでなく、第１装置が第２装置に一時的に接続され、第２装置がリモート装置に常にアクセス可能な他のフレームワークの範囲内に適用されてもよい。このとき、本発明は、記憶手段とファイル共有手段とを有する第１装置に一時的に接続可能な第２装置に適用可能である。特に、第２装置は、セルラ装置又はラップトップであってもよく、第１装置は外部メモリであってもよい。
【００２１】
図１において、実施例によるシステムが示される。ゲートウェイ１は、ローカルエリアネットワークＬＡＮ４である第１ネットワークに接続するための第１インタフェース（１８）を有する。それは、インターネットネットワーク２である第２ネットワークに接続するための第２インタフェース（１９）を有する。ゲートウェイは、ルータ（１７）を有する。もちろん、ゲートウェイ装置は、第１ネットワークと第２ネットワークとに接続するための手段を有する何れかのタイプの装置であってもよい。このゲートウェイは、ブロードバンドルータ、無線ルータ、ルータを備えたＤＳＬモデム又はＩＰルータ機能を備えた何れかのネットワーク装置とすることができる。より一般には、ゲートウェイは、インタフェース手段とルーティング手段とを有する何れかの装置とすることができる。ルータ機能は、ネットワーク装置がインターネットから到達可能とすることを可能にするためのものである。
【００２２】
第１及び第２ネットワークはまた、同じタイプのネットワークであってもよい。第２ネットワークは、ＬＡＮタイプであってもよく、さらに第１ネットワークと同じＬＡＮであってもよい。第１及び第２ネットワークはまた、インターネットネットワークであってもよい。
【００２３】
接続手段は、当業者に周知なものであり、図１には示されない。
【００２４】
ローカル装置５は、ＬＡＮ４に接続される。実施例によると、ローカル装置はラップトップである。もちろん、それは、ＵＳＢキーメモリやハードディスクなどのＬＡＮ４に接続するための手段を有する何れかのタイプの装置であってもよい。特に、実施例によるローカル装置は、ネットワークの他の装置と共有可能なファイルを格納するための記憶モジュール５２を有する。これらは、共有可能な何れかのタイプのファイルであってもよい。記憶モジュールは、ハードディスクである。もちろん、それは、フラッシュメモリなどの当業者に知られる何れかのタイプのストレージとすることが可能である。
【００２５】
ローカル装置はまた、ファイル共有を管理するよう構成されるファイル共有モジュール５１を有する。ファイル共有モジュールは、ローカル装置のエンドユーザが共有されたファイル及び共有されていないファイルを選択することを可能にする。共有されているファイルは、ネットワークの他の装置によりアクセス可能である。それは、他の何れかの装置又はローカル装置の共有ファイルにアクセスすることが許可されている装置によってのみアクセスされるようにしてもよい。
【００２６】
ローカル装置は、イーサネット（登録商標）接続を介しゲートウェイに接続される。もちろん、ローカル装置はまた、イーサネット（登録商標）、ＵＳＢ、ＩＥＥＥ１３９４などの他の何れかの有線インタフェース又はＷｉ−Ｆｉなどの何れかの無線インタフェースによりゲートウェイに接続されてもよい。
【００２７】
１つのローカル装置しか示されていない。もちろん、システムはファイルを共有する複数のローカル装置を有することも可能である。
【００２８】
実施例によるシステムは、インターネット２に接続されるリモート装置３を有する。リモート装置は、ゲートウェイと通信可能であり、それからゲートウェイを介しローカル装置に通信可能である。特に、リモート装置は、ウェブサーバに接続するためのＨＴＴＰウェブブラウザ３１を有する。ここで、それは、リモート装置がゲートウェイウェブサーバ１５に接続し、それのグラフィカルユーザインタフェースＧＵＩ１４にアクセスすることを可能にする。１つのリモート装置しか示されていないが、もちろん、複数のリモート装置がゲートウェイに接続可能である。
【００２９】
ゲートウェイ１は、ローカル装置とリモート装置とがＧＵＩ１４にアクセスすることを可能にするウェブサーバ１５を有する。ウェブサーバは、ＬＡＮ上の装置とインターネットを介し接続する装置との双方のためのゲートウェイＧＵＩを運営するＨＴＴＰウェブサーバである。ＧＵＩは、ゲートウェイの設定を実行することを可能にする。それは、後述されるように、インターネットを介し接続する装置からゲートウェイとのファイルの抽出及び送信を可能にするための専用の特定のＧＵＩ要素を有する。
【００３０】
ＧＵＩは、ローカルネットワーク上で利用可能なファイルのリストを示す共有ファイルリストをサポートする。それは、あたかもファイルがゲートウェイ上で利用可能であるかのように提示される。ＧＵＩ上でファイルをクリックすると、ローカルネットワーク装置からのファイルの抽出が開始される。
【００３１】
ゲートウェイは、ＬＡＮ上の装置の存在を検出するよう構成される装置検出モジュール１１を有する。それは、ＩＰアドレス、ハードウェアアドレス又はＵＰｎＰ情報などのＬＡＮ装置に関する情報を収集する。ゲートウェイは、検出された各装置に関する共有ファイルのリストを収集するよう構成されるファイル検出モジュール１６を有する。それは、この情報を記憶モジュール１３に永続的に保存する。記憶モジュール１３は、ゲートウェイに埋め込まれるか、又はＵＳＢハードディスクなどを介しゲートウェイに外部接続される。ゲートウェイはまた、ゲートウェイにおいて共有ファイルを管理するよう構成されるファイル共有モジュール１２を有する。特に、それは、後述されるように、リモート装置により共有ファイルへのアクセスを管理する。ファイル共有モジュールは、ＧＵＩ上への共有ファイルに関する情報の表示を管理する。それはまた、リモート装置から共有ファイルへのリクエストを管理する。
【００３２】
ゲートウェイのすべてのモジュールは、内部バス１０に接続される。ゲートウェイはまた、図示されない処理手段と、汎用的なゲートウェイ機能を実行するための当業者に周知の手段のすべてを有する。
【００３３】
実施例の方法が説明される。図２において、第１の方法が示される。
【００３４】
ステップＳ１において、ファイル共有化をサポートするローカル装置がゲートウェイに接続される。この装置の存在が、ゲートウェイの装置検出モジュールにより検出される。ゲートウェイは、ＡＲＰを用いたそれのＩＰ及びハードウェアアドレス、ＤＨＣＰを介した装置のベンダの値、ＵＰｎＰ宣伝を介した装置のＵＰｎＰ能力など、ローカル装置に関する情報を抽出する。その後、検出されたローカル装置は、抽出された情報によりＧＵＩに示される。
【００３５】
ステップＳ２において、ゲートウェイのファイル検出モジュールは、ファイルを共有しているか確認するため、ローカル装置を調べる。それは、ローカル装置上のすべての共有ファイルのリストを抽出する。特に、それは、ディレクトリとファイル名のリストを取得する。それは、Ｓａｍｂａプロトコルを利用して、ファイル抽出を実行する。Ｓａｍｂａプロトコルは、装置は他の装置の共有ファイルのファイルとディレクトリのリストを抽出することを可能にする。もちろん、ファイルは、当業者に周知の何れかのプロトコルにより抽出されてもよい。各ファイルに対して、ファイルサイズや作成日などのいくつかのファイル属性が抽出される。共有ファイルのリストは、ゲートウェイストレージに永続的に格納される。リストは、第１装置の検出に対して抽出される。それはまた、設定可能な期間によって定期的に、またＧＵＩ上のリフレッシュボタン／アクションを介したユーザ要求に応答して抽出される。
【００３６】
ステップＳ３において、ゲートウェイは、ローカル装置がもはやアクティブ状態でないことを検出する。これは、装置検出モジュールにより実行される。それは、ローカル装置が応答するかチェックするためのアクティブな調査、ＤＨＣＰサーバのＩＰアドレスリースの期限切れ、又は装置が接続されるインタフェース接続性の欠落の当業者に周知の各種方法により実行される。
【００３７】
その後、ローカル装置のアクティブ状態が、ＧＵＩに示される。それは、リモート装置がローカル装置がアクティブであるか否か確認することを可能にする。それはまた、リモート装置がファイルがゲートウェイにキャッシュされているか、又は装置にあるか確認することを可能にする。リモート装置は、ローカル装置に属するＧＵＩ上のファイルを確認する。ローカル装置がアクティブ状態でない場合、ファイルは、ゲートウェイにキャッシュされてもよい。ローカル装置がアクティブ状態である場合、ファイルはローカル装置にある。
【００３８】
ステップＳ４において、リモート装置は、ゲートウェイに接続する。それは、ローカルネットワーク上の装置のリストと、装置毎に共有されるファイルのリストとをチェックする。それは、各装置により共有されているすべてのファイルと共に、当該装置にファイルを送信する能力とのリストを有する装置のファイル共有詳細ページをＧＵＩ上でチェックする。
【００３９】
ステップＳ５において、リモート装置は、ローカル装置にファイルを送信する。このファイルは、ローカルネットワーク装置により共有されるファイルのアップデートである。それはまた、ローカルネットワーク装置に送信される新たなファイルであってもよい。ローカル装置がアクティブ状態でないとき、ステップＳ６において、ファイルはゲートウェイストレージに格納される。ゲートウェイはまた、ファイルがアドレス指定されるローカル装置のアドレスを格納する。リモート装置には、ファイルがゲートウェイに格納され、非アクティブ状態のローカル装置に以降に配信されることが通知される。これはＧＵＩに示され、ファイルは特定のディスプレイによりローカル装置のディレクトリに表示される。もちろん、これはまた、特定の通知メッセージによりリモート装置に通知されてもよい。
【００４０】
ステップＳ７において、ゲートウェイは、ローカル装置がアクティブ状態になったことを検出する。ゲートウェイは、装置に送信される必要のあるファイルがゲートウェイストレージにあるか確認する。そのようなファイルがある場合、これらは装置に送信され、おそらくファイルの既存／古いバージョンを置き換える。もちろん、このファイルは必ずしも共有される必要はない。それが共有ファイルである場合、それはＧＵＩにおいてそのように示される。共有ファイルでない場合、それはＧＵＩには示されない。
【００４１】
その後、ゲートウェイは、ファイルがローカル装置に送信されたという通知をリモート装置に送信してもよい。
【００４２】
もちろん、ステップ７は、ローカル装置が再びアクティブ状態になる毎に実行される。
【００４３】
図３において、実施例の第２の方法が示される。ステップＳ１〜Ｓ４は、第１の方法と同様である。
【００４４】
ステップＳ５’において、リモート装置は、ローカル装置上のファイルを取得するためのリクエストを送信する。ここでのリクエストは、ローカル装置からファイルを抽出する意思を示すゲートウェイＧＵＩ上のエンドユーザによるアクションである。もちろん、上述されるように、ＧＵＩは、ローカル装置がアクティブ状態であるか否かを示す。ローカル装置がアクティブ状態でないとき、ステップＳ６’において、ゲートウェイはリクエストを格納する。ＧＵＩは、特定の非アクティブ状態の装置上のあるファイルが要求されているが、現在は利用可能でないという表示を示す。これは、以下に限定することなく、装置の当該ファイルに隣接する追加的なアイコンや表示及び共有ファイルのリストの形式によるものである。
【００４５】
ステップＳ７’において、ゲートウェイは、ローカル装置がアクティブ状態になることを検出する。ステップＳ８’において、ゲートウェイは、装置からファイルを抽出し、それをゲートウェイストレージに一時的に格納する。これは、ローカル装置がアクティブ状態であるか否かにかかわらず、それが要求元に利用可能であることを確実にするものである。
【００４６】
ステップＳ９’において、要求されたファイルがゲートウェイストレージ上で利用可能になると、ユーザに電子メールを介し通知される。もちろん、ＳＭＳやインスタントメッセージングなどの他の何れか周知な通知を介し通知することも可能である。
【００４７】
ステップＳ１０’において、ファイルは、リモート装置により抽出され、ゲートウェイストレージから削除される。
【００４８】
ローカル装置から抽出されるファイルは、限られた期間の間のみゲートウェイに格納されてもよい。ファイルが当該期間中にリモート装置により抽出されない場合、それはゲートウェイ装置から削除される。当該期間は設定可能であり、数分から数日までの値をとりうる。
【００４９】
複数のリモート装置がファイルをリクエストした場合、ファイルの利用可能性がすべてのリモート装置に通知される。ファイルは、すべてのリモート装置により抽出されると、又は限られた期間の経過後にメモリから削除される。
【００５０】
あるいは、ゲートウェイは、ファイルを抽出及び格納しない。それは、ステップＳ８’を実行しない。ゲートウェイは、ファイルがローカル装置において利用可能であることをリモート装置に通知するだけであり、リモート装置がローカル装置からファイルを抽出する。この代替的なものは、ゲートウェイがファイルを一時的に格納するのに十分なメモリを有していない場合に利用されてもよい。
【００５１】
何れの場合も、装置がローカルネットワーク上でアクティブ状態になったことをゲートウェイが検出する毎に、それは、ファイル共有モジュールにより装置に送信される必要のあるファイルがゲートウェイストレージ上にあるか確認する。このようなファイルがある場合、これらは装置に送信される。ゲートウェイはまた、装置により共有されるファイルに対する発行済みの／オープンなファイルリクエストがあるか確認する。ファイルリクエストがある場合、当該ファイルは抽出され、ゲートウェイストレージに一時的に格納される。
【００５２】
ステップＳ９’及びＳ１０’の代わりとして、ローカル装置がアクティブ状態になり、要求されたファイルが装置において利用可能になると、ゲートウェイはファイルを抽出し、リモート装置に送信する。それは、リモート装置への通知と共にファイルを送信する。もちろん、それは、ファイルを送信するための他の何れか周知な方法によりファイルを送信可能である。複数のリモート装置がファイルをリクエストした場合、ゲートウェイは、ファイルをこれらすべてのリモート装置に送信する。
【００５３】
図４及び５において、ＧＵＩが示される。
【００５４】
図４は、ゲートウェイのインタフェースを示すスクリーンショットである。ゲートウェイは、無線インタフェース、ＷＬＡＮ及び４つのイーサネット（登録商標）インタフェースｅｔｈｐｏｒｔ１〜ｅｔｈｐｏｒｔ４を有する。未知のローカル装置がｅｔｈｐｏｒｔ１に接続される。
【００５５】
図５は、ローカル装置に関する情報を示すスクリーンショットである。ＩＰアドレスとインタフェースが示される。もちろん、ハードウェアアドレス又はＵＰｎＰ情報などのより多くの情報が表示可能である。さらに、共有ファイルに関する情報がまた当該スクリーンに示される。
【００５６】
実施例によると、ローカル装置はアクティブ状態又は非アクティブ状態であってもよい。これは、装置が電源オン／オフされているか、又はネットワークインタフェースを介しゲートウェイに接続されているか否かを意味する。あるいは、ゲートウェイは省電力化のためなどインタフェースを無効にしたため、ローカル装置が接続されていない可能性がある。ゲートウェイは、例えば、１日のある期間の間に無線インタフェースを無効にする省電力機能を有してもよい。当該期間中、ローカル装置はまた、ゲートウェイからは非アクティブ状態であるとみなされる。
【００５７】
明細書、請求項及び図面の開示は、独立して又は何れか適切な組み合わせにより提供されてもよい。適切な場合には、各機能はハードウェア、ソフトウェア又はこれらの組み合わせにより実現されてもよい。
【００５８】
ここでの“一実施例”又は“実施例”という表現は、実施例に関して説明された機能、構成又は特徴が本発明の少なくとも１つの実現形態に含めることが可能であることを意味する。明細書の各所における“一実施例では”という表現は、必ずしもすべてが同一の実施例を参照しているとは限らず、また他の実施例から互いに両立しない異なる又は他の実施例でもない。
【００５９】
請求項に記載される参照番号は、単なる例示であり、請求項の範囲に対して限定的な効果を有するものでない。
【図１】
0005921191.tif 000002
【図２】
0005921191.tif 000003
【図３】
0005921191.tif 000004
【図４】
0005921191.tif 000005
【図５】
0005921191.tif 000006